(57)【要約】【課題】止水ゲートのゲート扉体を回動させることなく、簡単な操作で揚水方向を切換えるポンプゲートを提供する。【解決手段】ゲート扉体（２）に水路（１０）の河川側（１０ａ）と支流河川側（１０ｂ）に一対の流入口（１１ａ、１１ｂ）と排出口（１２ａ、１２ｂ）をそれぞれ開口し、水中ポンプ（１６）をゲート扉体（２）の内部に回動自在に配設すると共に、水中ポンプ（１６）から突設させた揚水方向切換用のセパレーター（３０）に、駆動機（２７）に接続した位置検知装置（３１）を対設し、水中ポンプ（１６）の回動角度を検知して駆動機（２７）の作動を停止させるもので、水中ポンプを１８０度反転させて、水中ポンプ（１６）の吸込口（２３）と吐出口（２４）をゲート扉体（２）に設けた流入口（１１ａ、１１ｂ）と排出口（１２ａ、１２ｂ）にそれぞれ接続切換可能としたもので、ゲート扉体（２）と水中ポンプ（１６）のシールも容易となる。【選択図】　　　図４
2004036194.tif 000002
【特許請求の範囲】
【請求項１】
止水ゲート（１）に昇降自在にゲート扉体（２）を配設し、このゲート扉体（２）に水中ポンプ（１６）を支持させて、止水ゲート（１）の閉鎖状態で強制排水を行なうポンプゲートにおいて、ゲート扉体（２）に水路（１０）の河川側（１０ａ）と支流河川側（１０ｂ）に一対の流入口（１１ａ、１１ｂ）と排出口（１２ａ、１２ｂ）をそれぞれ開口すると共に、水中ポンプ（１６）をゲート扉体（２）の内部に回動自在に配設し、水中ポンプ（１６）の吸込口（２３）と吐出口（２４）をゲート扉体（２）に設けた流入口（１１ａ、１１ｂ）と排出口（１２ａ、１２ｂ）にそれぞれを接続切換可能としたことを特徴とするポンプゲート。
【請求項２】
上記ゲート扉体（２）に駆動機（２７）を載置して、垂下した駆動機（２７）の回転軸（２８）に水中ポンプ（１６）を連結し、ゲート扉体（２）内部の水中ポンプ（１６）を回転可能としたことを特徴とする請求項１に記載のポンプゲート。
【請求項３】
上記水中ポンプ（１６）から揚水方向切換用のセパレーター（３０）を突設し、駆動機（２７）に接続した位置検知装置（３１）をゲート扉体（２）の内部に配設し、この位置検知装置（３１）をセパレーター（３０）の回動位置に対設させて、水中ポンプ（１６）の回動角度を検知して駆動機（２７）の作動を停止させることを特徴とする請求項２に記載のポンプゲート。
【請求項４】
上記駆動機（２７）の代わりに、水中ポンプ（１６）に連結した回転軸（２８）にハンドル（３２）を止着して、水中ポンプ（１６）を回転させることを特徴とする請求項２に記載のポンプゲート。
【請求項５】
上記ゲート扉体（２）に開口した排出口（１２ａ、１２ｂ）にフラップ弁（１３ａ、１３ｂ）を設けたことを特徴とする請求項１乃至４の何れか１項に記載のポンプゲート。
【発明の詳細な説明】
【０００１】
【発明の属する技術分野】
この発明は、止水ゲートのゲート扉体に水中ポンプを装着して閉鎖状態で強制排水を行なうポンプゲートの改良に関する。
【０００２】
【従来の技術】
従来、灌漑用や取水用水門に昇降自在に支持させたゲート扉体に水中ポンプを配設し、ゲート扉体とともに昇降させるポンプゲートは良く知られている。そして、二つの河川などを結ぶ水路に、平面的に反転するゲートにポンプを内蔵した止水ゲートは、例えば、特開平３−１４０５１６号公報に記載してあるように公知である。揚水方向を切換えるポンプゲートは、例えば、灌漑用などに河川側から支流河川側に揚水し、豪雨などの時には、ゲートを反転させて、支流河川側から河川側に排水するようにしてある。
【０００３】
【発明が解決しようとする課題】
従来のポンプゲートは、ゲート扉体を回動させれば揚水方向を切換えることができるものであるが、回動装置が大規模となり、これを水路内で回動させるためにその操作が困難である。スペースも確保する必要があり、ゲート扉体の側面と底面のシールが困難であった。この発明は、ゲート扉体を回動させることなく、ゲート扉体に内設した水中ポンプを回動させて、スペースの確保を必要とせず、簡単な操作で揚水方向を切換えるポンプゲートの提供を目的とする。
【０００４】
【課題を解決するための手段】
上記目的を達成するために、止水ゲートに昇降自在にゲート扉体を配設し、このゲート扉体に水中ポンプを支持させて、止水ゲートの閉鎖状態で強制排水を行なうポンプゲートにおいて、ゲート扉体に水路の河川側と支流河川側に一対の流入口と排出口をそれぞれ開口すると共に、水中ポンプをゲート扉体の内部に回動自在に配設し、水中ポンプの吸込口と吐出口をゲート扉体に設けた流入口と排出口にそれぞれを接続切換可能としたもので、簡単な操作でゲート扉体の内部の水中ポンプを回動させて、揚水方向を切換えることが可能となる。従来技術のようにゲート扉体を回動させるスペースを確保する必要がなく、ゲート扉体と水中ポンプのシールも容易となる。
【０００５】
水中ポンプの具体的な駆動手段が、ゲート扉体に駆動機を載置して、垂下した駆動機の回転軸に水中ポンプを連結し、ゲート扉体内部の水中ポンプを回転可能としたもので、水中ポンプの回動操作も簡単で、ゲート扉体のシールの心配もないものである。そして、水中ポンプの回動制御手段が、水中ポンプから揚水方向切換用のセパレーターを突設し、駆動機に接続した位置検知装置をゲート扉体の内部に配設し、この位置検知装置をセパレーターの回動位置に対設させて、水中ポンプの回動角度を検知して駆動機の作動を停止させるもので、ゲート扉体の内部の水中ポンプの回動を検知して、水中ポンプの吸込口と吐出口を１８０度反転させて、河川側と支流河川側の揚水方向を切換えるものである。なお、小型の水中ポンプの回動手段は駆動機の代わりに、水中ポンプに連結した回転軸にハンドルを止着して、水中ポンプを回転させてもよいものである。また、ゲート扉体に開口した吐出口にフラップ弁を設け、水中ポンプの停止時に、逆流を防止させるものである。
【０００６】
【発明の実施の形態】
この発明に係るポンプゲートは上記のように構成してあり、灌漑用などに河川側から支流河川側に揚水させる時には、止水ゲートを閉鎖状態で河川から支流河川に強制揚水を行ない、上流側水路の水位が低下して、あるいは、揚水が完了して水中ポンプの運転を停止する。豪雨などの支流河川から主流河川に排水する必要が生じた時には、駆動機で水中ポンプを１８０度回転させ、水中ポンプの回動角度を検知して駆動機の作動を停止する。水中ポンプの吸込口をゲート扉体の排出口に移動させ、水中ポンプの吐出口の位置をゲート扉体の流入口と排出口に移動させれば、排水を開始することができ、河川側と支流河川側の揚水方向を切換える。簡単な操作でゲート扉体の内部の水中ポンプを回動させて、揚水方向を切換えることが可能となり、従来技術のようにスペースを確保する必要がなく、ゲート扉体と水中ポンプのシールも容易となる。
【０００７】
【実施例】
この発明の実施例を図面に基づき詳述すると、図１は水路に設置したポンプゲートの正面図であって、河川と支流河川の間に止水ゲート１が設置してあり、止水ゲート１のゲート扉体２がゲート３、３に挟持してある。ゲート３の上方の架橋台４に駆動装置５が載置してあり、駆動装置５から垂下したピンラック棒６、６にゲート扉体２を連結して、駆動装置５でゲート扉体２をゲート３、３に沿って昇降自在としてある。図２はポンプゲートのゲート扉体の縦断面図であって、ゲート扉体２には、上端を開口した内筒ケーシング７が配設してあり、内筒ケーシング７の上下端に連結した上部支持板８と下部支持板９がゲート扉体２に止着してある。ゲート扉体２には、水路１０の河川側１０ａと支流河川側１０ｂのゲート扉体２に１８０度の方向に開口した一対の流入口１１ａ、１１ｂと、流入口１１ａ、１１ｂの上方に一対の排出口１２ａ、１２ｂがそれぞれ連結してある。流入口１１ａ、１１ｂと排出口１２ａ、１２ｂはゲート扉体２の内部に設けた内筒ケーシング７の内周面にも開口してあり、排出口１２ａ、１２ｂの開口先端部にはフラップ弁１３ａ、１３ｂが配設してある。
【０００８】
図２に示すように、ゲート扉体２に設けた一対の排出口１２ａ、１２ｂの下端部近傍の、内筒ケーシング７の内側に円環セキ板状のシール板１４が内筒ケーシング７と同心状に形成してある。内筒ケーシング７の下部支持板９の中心部には下部軸受１５が設けてある。図３はゲート扉体に配設する水中ポンプの縦断面図であって、ゲート扉体２の内部に配設する水中ポンプ１６のポンプケーシング１７が円筒状に形成してあり、ポンプケーシング１７の内周面に連結したガイドベーン１８に水中モーター１９が支架してある。この水中モーター１９から垂下した駆動軸２０が軸封部２１で水封されて、駆動軸２０の先端部にインペラ２２が止着してある。ポンプケーシング１７の下部側壁には水中ポンプ１６の吸込口２３が開口してあり、吸込口２３の１８０度の反対側上方側壁に水中ポンプ１６の吐出口２４が開口してある。
【０００９】
図４は水中ポンブをゲート扉体に組込んだ縦断面図であって、ゲート扉体２の内部に水中ポンプ１６が配設してあり、図３に示す、水中ポンプ１６の底面の支軸２５が、図２に示す、内筒ケーシング７の下部支持板９に設けた下部軸受１５に軸支してある。ゲート扉体２の内筒ケーシング７の上部支持板８に架台２６が支架してあり、架台２６に載置した駆動機２７の回転軸２８が水中ポンプ１６の頂部に連結してある。駆動機２７を作動して、水中ポンプ１６をゲート扉体２の内筒ケーシング７の内部で回転できるようにしてある。
【００１０】
ゲート扉体２に設けた一対の流入口１１ａ、１１ｂと水中ポンプ１６の吸込口２３をほぼ同径としてあり、一対の流入口１１ａ、１１ｂの一方と水中ポンプ１６の吸込口２３を合着させてシールさせる。なお、水封用のシールパッキンを内筒ケーシング７に設けた流入口１１ａ、１１ｂの内側端面に貼着しても、あるいは、水中ポンプ１６の吸込口２３に水封用のシールパッキンを貼着しても、吸込側の水封が行なえる。水中ポンプ１６の吐出口２４をゲート扉体２の排出口１２ａ、１２ｂより小径としてあり、水中ポンプ１６の吐出口２４の先端部を内筒ケーシング７の内側に設けた円環セキ板状のシール板１４の上端部に摺接させてあり、円環セキ板状のシール板１４に貼着したパッキン２９で吐出側をシールさせる。
【００１１】
図５は水中ポンプを配設したゲート扉体の横断面図であって、水中ポンプ１６のポンプケーシング１７の両側壁に一対の揚水方向切替用のセパレーター３０、３０が突設してあり、ゲート扉体２の排出口１２ａ、１２ｂの高さに配設してある。ゲート扉体２の内筒ケーシング７にリミットスイッチあるいは近接スイッチなどの位置検知装置３１がセパレーター３０の回動位置に対設してあり、駆動機２７を作動して水中ポンプ１６を回動させた時に、１８０度の回動位置を検知して停止させ、河川側１０ａと支流河川側１０ｂへの揚水を切換える。簡単な操作でゲート扉体２の内部の水中ポンプ１６を回動させて、揚水方向を切換えることが可能となる。従来技術のようにゲート扉体２を回動させるスペースを確保する必要がない。
【００１２】
図６はセパレーターを設けた水中ポンプの要部の側面図であって、ポンプケーシング１７の側壁に突設したセパレーター３０の下端内側を切欠いて、内筒ケーシング７に設けたシール板１４にセパレーター３０の下端部を摺接させてあり、図４に示す、水路１０の河川側１０ａから支流河川側１０ｂに揚水する止水ゲート１にあっては、水中ポンプ１６の吐出口２４から噴出させた水流が内筒ケーシング７の内周面を通って水中ポンプ１６の吸込口２３側の内筒ケーシング７の排出口１２ａに流出するのを防止する。ゲート扉体２と水中ポンプ１６の吐出側のシールも容易となる。図４に示すように、止水ゲート１を閉鎖状態として、水路１０の河川側１０ａから支流河川側１０ｂに揚水を行なう時には、河川側１０ａの扉体２の流入口１１ａに、水中ポンプ１６の吸込口２３を対向させて、水中ポンプ１６の水中モーター１９を作動させると、河川側１０ａの水を内筒ケーシング７の流入口１１ａから水中ポンプ１６の吸込口２３に流入させ、水中ポンプ１６の吐出口２４から内筒ケーシング７の排出口１２ｂに排出し、支流河川側１０ｂに強制揚水する。
【００１３】
図７は支流河川側から河川側に排水する状態を示すポンプゲートの縦断側面図であって、支流河川側１０ｂから河川側１０ａに排水する必要が生じた時には、駆動機２７で水中ポンプ１６を排水に必要な位置まで水中ポンプ１６の吸込口２３と吐出口２４の位置をゲート扉体２の吸込側と吐出側に移動させ、水中ポンプ１６を１８０度回動した位置でセパレーター３０を位置検知装置３１に接触させて駆動機２７を停止させる。水中ポンプ１６の水中モーター１９を作動させると、支流河川側１０ｂの水をゲート扉体２の流入口１１ｂから水中ポンプ１６の吸込口２３に流入させ、水中ポンプ１６の吐出口２４からゲート扉体２の排出口１２ａに排出し、支流河川側１０ｂの水を河川側１０ａに排水できる。なお、小型の水中ポンプ１６の回動手段は駆動機の代わりに、水中ポンプ１６に連結した回転軸２８にハンドル３２を止着して、水中ポンプ１６を回転させてもよいものである。
【００１４】
【発明の効果】
この発明は、上記のように構成してあり、ゲート扉体を回動させることなく、ゲート扉体に内設した水中ポンプを回動させて、簡単な操作で揚水方向を切換えることができる。即ち、従来のポンプゲートは、ゲート扉体の回動装置が大規模となり、これを水路内で回動させる操作が困難で、ゲート扉体のシールも難しいものであるが、この発明にあっては、水中ポンプをゲート扉体の内部に回動自在に配設し、ゲート扉体に水路の河川側と支流河川側に一対の流入口と排出口をそれぞれ開口し、水中ポンプの吸込口と吐出口を接続切換可能としたもので、簡単な操作で扉体の内部の水中ポンプを回動させて、揚水方向を切換えることが可能となる。従来技術のようにゲート扉体を回動させるスペースを確保する必要がなく、ゲート扉体と水中ポンプのシールも容易となる。
【００１５】
水中ポンプの駆動手段が、ゲート扉体に載置した駆動機の回転軸に水中ポンプを連結し、ゲート扉体内部の水中ポンプを回転可能としたもので、水中ポンプの回動操作も簡単で、ゲート扉体のシールの心配もないものである。そして、水中ポンプの回動制御手段が、水中ポンプから突設させた揚水方向切換用のセパレーターに、駆動機に接続した位置検知装置を対設し、水中ポンプの回動角度を検知して駆動機の作動を停止させるもので、水中ポンプの吸込口と吐出口を１８０度反転させて、河川側と支流河川側の揚水方向を切換えることができる。なお、小型の水中ポンプにあっては、水中ポンプに連結した回転軸にハンドルを止着して、水中ポンプを回転させてもよいものである。また、ゲート扉体に開口した吐出口にフラップ弁を設け、水中ポンプの停止時に、逆流を防止できる。
【図面の簡単な説明】
【図１】この発明に係るポンプゲートの正面図である。
【図２】同じく、ポンプゲートのゲート扉体の縦断面図である。
【図３】同じく、ゲート扉体に配設する水中ポンプの縦断面図である。
【図４】同じく、水中ポンブをゲート扉体に組込んだ縦断面図である。
【図５】同じく、水中ポンプを配設したゲート扉体の横断面図である。
【図６】同じく、セパレーターを設けた水中ポンプの要部の側面図である。
【図７】同じく、支流河川側から河川側に排水する状態を示すポンプゲートの縦断側面図である。
【符号の説明】
１　止水ゲート
２　ゲート扉体
１０　水路
１０ａ　河川側
１０ｂ　支流河川側
１１ａ、１１ｂ　流入口
１２ａ、１２ｂ　排出口
１３ａ、１３ｂ　フラップ弁
１６　水中ポンプ
２３　吸込口
２４　吐出口
２７　駆動機
２８　回転軸
３０　セパレーター
３１　位置検知装置
３２　ハンドル
【図１】
2004036194.tif 000003
【図２】
2004036194.tif 000004
【図３】
2004036194.tif 000005
【図４】
2004036194.tif 000006
【図５】
2004036194.tif 000007
【図６】
2004036194.tif 000008
【図７】
2004036194.tif 000009